【手続補正書】
【提出日】平成17年7月6日(2005.7.6)
【手続補正１】
【補正対象書類名】明細書
【補正対象項目名】特許請求の範囲
【補正方法】変更
【補正の内容】
【特許請求の範囲】
【請求項１】
通信アクセス・ネットワークで使用される方法であって、前記通信アクセス・ネットワークは複数の端末（Ｔ１１、Ｔ１２、Ｔ１３、．．．、Ｔ３１、．．．）およびヘッド・エンド（ＨＥ）を含み、該ヘッド・エンド（ＨＥ）は複数のトランシーバ（ＴＲＸ１、ＴＲＸ２、ＴＲＸ３、．．．）を含むと共にダウンストリーム共通リンク（Ｌｃ）およびツリー状分散ネットワークを経由して前記複数の端末（Ｔ１１、Ｔ１２、Ｔ１３、．．．、Ｔ３１、．．．）の各々へダウンストリーム結合され、前記複数のトランシーバ（ＴＲＸ１、ＴＲＸ２、ＴＲＸ３、．．．）の各々は、複数のダウンストリーム信号（Ｓｄ１、Ｓｄ２、Ｓｄ３、．．．）の１つを、前記複数のトランシーバ（ＴＲＸ１、ＴＲＸ２、ＴＲＸ３、．．．）の前記１つに関連した複数の周波数バンド（ＣＨ１、ＣＨ２、ＣＨ３、．．．）の１つにおいて、前記ヘッド・エンド（ＨＥ）に含まれるコンバイナ（ＣＯＭＢ）へ提供し、前記複数のダウンストリーム信号（Ｓｄ１、Ｓｄ２、Ｓｄ３、．．．）は１つのダウンストリーム変調信号（Ｓ−ＭＯＤ）へ結合され（ＣＯＭＢ）、該ダウンストリーム変調信号（Ｓ−ＭＯＤ）は前記ヘッド・エンド（ＨＥ）から前記複数の端末（Ｔ１１、Ｔ１２、Ｔ１３、．．．、Ｔ３１、．．．）へ同報通信され、前記複数の端末の中の第１の端末（Ｔ１２）はアップストリーム・リンク（Ｌｕ１２）を経由して前記複数のトランシーバの中の第１のトランシーバ（ＴＲＸ１）へアップストリーム結合され、前記方法の目的は情報を前記第１の端末へ提供することであり、フィルタ周波数バンド（ＣＨ１）に関連する前記情報は前記複数の周波数バンド（ＣＨ１、ＣＨ２、ＣＨ３、．．．）の第１の周波数バンドであると共に前記ダウンストリーム変調信号（Ｓ−ＭＯＤ）の中から前記第１のトランシーバ（ＴＲＸ１）によって提供された前記ダウンストリーム信号の第１のもの（Ｓｄ１）に関連した第１の再生ダウンストリーム信号を取り出すために前記第１の端末（Ｔ１２）によって使用されることを意図されており、前記方法は、
ａ）所定の時点（Ｔｘ、Ｔｙ、Ｔｚ、．．．）で、初期化パケット（Ｔｘ−ＴＲＸ１、Ｔｙ−ＴＲＸ２、Ｔｚ−ＴＲＸ３、．．．）を前記ヘッド・エンド（ＨＥ）によって分配するステップであって、前記初期化パケットの各１つ（Ｔｚ−ＴＲＸ３）は、個別の参照（Ｔｚ）を含み前記複数のトランシーバのそれぞれ１つ（ＴＲＸ３）に関連すると共に前記１つのトランシーバ（ＴＲＸ３）によって提供された前記複数のダウンストリーム信号のそれぞれ１つ（Ｓｄ３）を含んでいるステップと、
ｂ）前記第１の端末（Ｔ１２）が、前記ダウンストリーム変調信号（Ｓ−ＭＯＤ）を受け取ったとき、前記複数の周波数バンド（ＣＨ３）の１つを用いて前記ダウンストリーム変調信号から再生ダウンストリーム信号（Ｓｄｒ３）を取り出すステップと、
ｃ）前記第１の端末（Ｔ１２）が、前記再生ダウンストリーム信号（Ｓｄｒ３）内に含まれる前記初期化パケット（Ｔｚ−ＴＲＸ３）の１つを受け取ったとき、前記初期化パケットの１つ（Ｔｚ−ＴＲＸ３）の前記参照（Ｔｚ）および前記第１の端末（Ｔ１２）の識別を含む確認信号（Ｃ（Ｔｚ；Ｔ１２））をアップストリーム転送するステップと、
ｄ）前記第１のトランシーバ（ＴＲＸ１）が前記確認信号（Ｃ（Ｔｚ；Ｔ１２））を受け取ったとき、前記参照（Ｔｚ）に関連したトランシーバ（ＴＲＸ３）が前記第１のトランシーバ（ＴＲＸ１）に対応していない場合、前記ヘッド・エンド（ＨＥ）が、前記第１の端末（Ｔ１２）の前記識別および前記第１のトランシーバ（ＴＲＸ１）に関連した前記第１の周波数バンド（ＣＨ１）を含む変更要求（ＲＥＱ（ＣＨ１；Ｔ１２））を、前記参照（Ｔｚ）に関連したトランシーバ（ＴＲＸ３）によって提供されたダウンストリーム信号（Ｓｄ３）の中に含めて、前記変更要求（ＲＥＱ（ＣＨ１；Ｔ１２））を分配するステップとを含むことを特徴とする方法。
【請求項２】
前記ステップａ）が、少なくとも複数の前記初期化パケットを、前記複数のダウンストリーム信号の１つであり、また、前記複数のトランシーバの１つである所定のトランシーバ（ＴＲＸ−Ｂ）によって提供される所定のダウンストリーム信号（Ｓｄ−Ｂ）の中に含めることによって実現され、それによりステップｂ）で、前記複数の周波数バンドの前記１つが、前記所定のダウンストリーム信号（Ｓｄ−Ｂ）が前記コンバイナ（ＣＯＭＢ）へ提供される前記複数の周波数バンドの中の周波数バンド（ＣＨ−Ｂ）に等しいことを特徴とする、請求項１に記載の通信アクセスネットワークにおいて使用される方法。
【請求項３】
前記ステップｃ）における確認信号（Ｃ（Ｔｚ；Ｔ１２））の前記アップストリーム伝送が、所定のアップストリーム周波数バンド中で実現され、それにより前記ステップｄ）における前記確認信号（Ｃ（Ｔｚ；Ｔ１２））の前記受け取りが前記所定のアップストリーム周波数バンド中で実現されることを特徴とする、請求項１に記載の通信アクセスネットワークにおいて使用される方法。
【請求項４】
前記初期化パケット（Ｔｘ−ＴＲＸ１、Ｔｙ−ＴＲＸ２、Ｔｚ−ＴＲＸ３、．．．）の前記参照が前記所定の時点（Ｔｘ、Ｔｙ、Ｔｚ、．．．）によって構成されることを特徴とする、請求項１に記載の通信アクセスネットワークにおいて使用される方法。
【請求項５】
前記初期化パケット（Ｔｘ−ＴＲＸ１、Ｔｙ−ＴＲＸ２、Ｔｚ−ＴＲＸ３、．．．）または前記確認信号（Ｃ（Ｔｚ；Ｔ１２））または前記変更要求（ＲＥＱ（ＣＨ１；Ｔ１２））の１つが多重アクセス初期化パケットに含まれることを特徴とする、請求項１に記載の通信アクセスネットワークにおいて使用される方法。
【請求項６】
前記初期化パケット（Ｔｘ−ＴＲＸ１、Ｔｙ−ＴＲＸ２、Ｔｚ−ＴＲＸ３、．．．）のそれぞれの前記複数のトランシーバ（ＴＲＸ１、ＴＲＸ２、ＴＲＸ３、．．．）の１つへの前記関連づけが、前記複数の端末（Ｔ１１、Ｔ１２、Ｔ１３、．．．、Ｔ３１、．．．）から前記複数のトランシーバ（ＴＲＸ１、ＴＲＸ２、ＴＲＸ３、．．．）のそれぞれにアップストリーム結合される端末の数に正比例した関係に従って実行されることを特徴とする、請求項１に記載の通信アクセスネットワークにおいて使用される方法。
【請求項７】
ｅ）前記第１のトランシーバ（ＴＲＸ１）が前記確認信号（Ｃ（Ｔｚ；Ｔ１２））を受け取ったとき、前記参照（Ｔｚ）に関連したトランシーバ（ＴＲＸ３）が前記第１のトランシーバ（ＴＲＸ１）に対応している場合、前記第１の周波数バンド（ＣＨ１）である前記フィルタ周波数バンドが、前記ダウンストリーム変調信号（Ｓ−ＭＯＤ）から再生ダウンストリーム信号（Ｓｄｒ３）を取り出すために前記ステップｂ）で使用された前記周波数バンド（ＣＨ３）によって構成されていることを確認するステップを含む、請求項１に記載の通信アクセスネットワークにおいて使用される方法。
【請求項８】
通信アクセス・ネットワークに含まれ、情報を提供するように構成されたヘッド・エンド（ＨＥ）であって、該ヘッド・エンド（ＨＥ）は、複数のトランシーバ（ＴＲＸ１、ＴＲＸ２、ＴＲＸ３、．．．）を含むと共にダウンストリーム共通リンク（Ｌｃ）およびツリー状分散ネットワークを経由して前記通信アクセス・ネットワークに含まれる複数の端末（Ｔ１１、Ｔ１２、Ｔ１３、．．．、Ｔ３１、．．．）の各々へダウンストリーム結合され、前記複数のトランシーバ（ＴＲＸ１、ＴＲＸ２、ＴＲＸ３、．．．）の各々は、前記複数のトランシーバ（ＴＲＸ１、ＴＲＸ２、ＴＲＸ３、．．．）の前記１つに関連した複数の周波数バンド（ＣＨ１、ＣＨ２、ＣＨ３、．．．）の１つにおける複数のダウンストリーム信号（Ｓｄ１、Ｓｄ２、Ｓｄ３、．．．）の１つを前記ヘッド・エンド（ＨＥ）に含まれるコンバイナ（ＣＯＭＢ）へ提供するように構成され、該コンバイナ（ＣＯＭＢ）は、前記複数のダウンストリーム信号（Ｓｄ１、Ｓｄ２、Ｓｄ３、．．．）を、前記ヘッド・エンド（ＨＥ）から前記複数の端末（Ｔ１１、Ｔ１２、Ｔ１３、．．．、Ｔ３１、．．．）へ同報通信されるダウンストリーム変調信号（Ｓ−ＭＯＤ）へ結合するように構成され、前記複数の端末の第１のもの（Ｔ１２）はアップストリーム・リンク（Ｌｕ１２）を経由して前記複数のトランシーバの第１のもの（ＴＲＸ１）へ結合され、前記情報は、前記第１の端末（Ｔ１２）へ提供され、また前記複数の周波数バンド（ＣＨ１、ＣＨ２、ＣＨ３、．．．）の第１のもの（ＣＨ１）であるフィルタ周波数バンドに関連し、また前記第１のトランシーバ（ＴＲＸ１）によって提供された前記ダウンストリーム信号の第１のもの（Ｓｄ１）に関連した第１のダウンストリーム再生信号（Ｓｄｒ１）を前記ダウンストリーム変調信号（Ｓ−ＭＯＤ）から取り出すために前記第１の端末（Ｔ１２）によって使用されることを意図されており、
前記ヘッド・エンド（ＨＥ）は、所定の時点（Ｔｘ、Ｔｙ、Ｔｚ、．．．）で初期化パケット（Ｔｘ−ＴＲＸ１、Ｔｙ−ＴＲＸ２、Ｔｚ−ＴＲＸ３、．．．）を含める第１の挿入手段（ＩＮＳ１）を更に含み、前記初期化パケットの各々（Ｔｚ−ＴＲＸ３）は個別の参照（Ｔｚ）を含み、また前記複数のトランシーバ（ＴＲＸ１、ＴＲＸ２、ＴＲＸ３、．．．）のそれぞれ（ＴＲＸ３）に関連しており、また前記１つのトランシーバ（ＴＲＸ３）によって提供された前記複数のダウンストリーム信号（Ｓｄ１、Ｓｄ２、Ｓｄ３、．．．）の１つ（Ｓｄ３）に含まれ、さらに前記第１の挿入手段（ＩＮＳ１）は、前記第１の端末（Ｔ１２）が、前記第１の端末（Ｔ１２）によって受け取られた前記ダウンストリーム変調信号（Ｓ−ＭＯＤ）から前記複数の周波数バンドの１つ（ＣＨ３）を用いて取り出される再生ダウンストリーム信号（Ｓｄｒ３）に含まれる前記初期化パケットの１つ（Ｔｚ−ＴＲＸ３）を受け取るようにし、また前記１つの初期化パケット（Ｔｚ−ＴＲＸ３）の前記参照（Ｔｚ）および前記第１の端末（Ｔ１２）の識別を含むアップストリーム確認信号（Ｃ（Ｔｚ；Ｔ１２））を伝送するようにし、
さらに、前記ヘッド・エンド（ＨＥ）は、前記第１のトランシーバ（ＴＲＸ１）が前記確認信号（Ｃ（Ｔｚ；Ｔ１２））を受け取ったとき、該確認信号（Ｃ（Ｔｚ；Ｔ１２））に含まれる前記参照（Ｔｚ）に関連したトランシーバ（ＴＲＸ３）が前記第１のトランシーバ（ＴＲＸ１）に対応していない場合、前記参照（Ｔｚ）に関連したトランシーバ（ＴＲＸ３）によって与えられたダウンストリーム信号（Ｓｄ３）の中に、前記端末（Ｔ１２）の前記識別および前記第１のトランシーバ（ＴＲＸ１）に関連した前記第１の周波数バンド（ＣＨ１）を含む変更要求（ＲＥＱ（ＣＨ１；Ｔ１２））を含める第２の挿入手段（ＩＮＳ２）を含むことを特徴とする、ヘッド・エンド（ＨＥ）。
【請求項９】
通信アクセス・ネットワーク中に含まれ、情報を受け取るように構成され、さらに通信アクセス・ネットワーク中に含まれる複数の端末（Ｔ１１、Ｔ１２、Ｔ１３、．．．、Ｔ３１、．．．）の１つである第１の端末（Ｔ１２）であって、前記通信アクセス・ネットワークはヘッド・エンド（ＨＥ）を含み、該ヘッド・エンド（ＨＥ）は複数のトランシーバ（ＴＲＸ１、ＴＲＸ２、ＴＲＸ３、．．．）を含むと共にダウンストリーム共通リンク（Ｌｃ）およびツリー状の分散ネットワークを経由して前記複数の端末（Ｔ１１、Ｔ１２、Ｔ１３、．．．、Ｔ３１、．．．）のそれぞれへダウンストリーム結合されており、前記複数のトランシーバ（ＴＲＸ１、ＴＲＸ２、ＴＲＸ３、．．．）のそれぞれは、複数のダウンストリーム信号（Ｓｄ１、Ｓｄ２、Ｓｄ３、．．．）の１つを、前記ヘッド・エンド（ＨＥ）に含まれるコンバイナ（ＣＯＭＢ）へ、前記複数のトランシーバ（ＴＲＸ１、ＴＲＸ２、ＴＲＸ３、．．．）の前記１つに関連した複数の周波数バンド（ＣＨ１、ＣＨ２、ＣＨ３、．．．）の１つで提供するように構成されており、前記コンバイナ（ＣＯＭＢ）は、前記複数のダウンストリーム信号（Ｓｄ１、Ｓｄ２、Ｓｄ３、．．．）を、前記ヘッド・エンド（ＨＥ）から前記複数の端末（Ｔ１１、Ｔ１２、Ｔ１３、．．．、Ｔ３１、．．．）へ同報通信されるダウンストリーム変調信号（Ｓ−ＭＯＤ）へ結合するように構成されており、前記第１の端末（Ｔ１２）は、アップストリーム・リンク（Ｌｕ１２）を経由して前記複数のトランシーバの第１のもの（ＴＲＸ１）へ結合され、前記情報は、前記ヘッド・エンド（ＨＥ）によって前記第１の端末（Ｔ１２）へ提供されると共に前記複数の周波数バンド（ＣＨ１、ＣＨ２、ＣＨ３、．．．）の第１のものであるフィルタ周波数バンド（ＣＨ１）に関連しており、また前記第１のトランシーバ（ＴＲＸ１）によって提供された前記ダウンストリーム信号の第１のもの（Ｓｄ１）に関連した第１のダウンストリーム再生信号（Ｓｄｒ）を前記変調信号（Ｓ−ＭＯＤ）から取り出すために前記第１の端末（Ｔ１２）によって使用されることを意図されており、前記第１の端末（Ｔ１２）は、
ａ）フィルタ手段（ＦＩＬＴ）を含み、該フィルタ手段（ＦＩＬＴ）は、前記ダウンストリーム変調信号（Ｓ−ＭＯＤ）を受け取り、また
前記複数の周波数バンドの１つ（ＣＨ３）を用いて前記ダウンストリーム変調信号（Ｓ−ＭＯＤ）からダウンストリーム再生信号（Ｓｄｒ３）を取り出し、また
前記ダウンストリーム再生信号（Ｓｄ３）に含まれる初期化パケット（Ｔｚ−ＴＲＸ３）を受け取り、前記初期化パケット（Ｔｚ−ＴＲＸ３）は複数の初期化パケット（Ｔｘ−ＴＲＸ１、Ｔｙ−ＴＲＸ２、Ｔｚ−ＴＲＸ３、．．．）の１つであり、前記複数の初期化パケット（Ｔｘ−ＴＲＸ１、Ｔｙ−ＴＲＸ２、Ｔｚ−ＴＲＸ３、．．．）の各々（Ｔｚ−ＴＲＸ３）は個別の参照（Ｔｚ）を含むと共に前記複数のトランシーバ（ＴＲＸ１、ＴＲＸ２、ＴＲＸ３、．．．）のそれぞれ（ＴＲＸ３）に関連しており、また前記１つのトランシーバ（ＴＲＸ３）によって与えられた前記複数のダウンストリーム信号（Ｓｄ１、Ｓｄ２、Ｓｄ３、．．．）の１つ（Ｓｄ３）に含まれ、
ｂ）さらに前記第１の端末（Ｔ１２）は確認手段（ＣＯＮＦ）を含み、該確認手段（ＣＯＮＦ）は、前記初期化パケット（Ｔｚ−ＴＲＸ３）を受け取ったとき、前記１つの初期化パケット（Ｔｚ−ＴＲＸ３）の前記参照（Ｔｚ）および前記第１の端末（Ｔ１２）の識別を含む確認信号（Ｃ（Ｔｚ；Ｔ１２））をアップストリーム伝送し、それによって前記第１のトランシーバ（ＴＲＸ１）が前記確認信号（Ｃ（Ｔｚ；Ｔ１２））を受け取ったとき、該確認信号（Ｃ（Ｔｚ；Ｔ１２））に含まれる前記参照（Ｔｚ）に関連したトランシーバ（ＴＲＸ３）が前記第１のトランシーバ（ＴＲＸ１）に対応していない場合に、前記ヘッド・エンド（ＨＥ）が、前記第１の端末（Ｔ１２）の前記識別および前記第１のトランシーバ（ＴＲＸ１）に関連した前記第１の周波数バンド（ＣＨ１）を含む前記変更要求（ＲＥＱ（ＣＨ１；Ｔ１２））を前記参照（Ｔｚ）に関連したトランシーバ（ＴＲＸ３）によって与えられたダウンストリーム信号（Ｓｄ３）の中に含めることによって前記変更要求（ＲＥＱ（ＣＨ１；Ｔ１２））を分配できるようにすることを特徴とする、第１の端末（Ｔ１２）。
【請求項１０】
請求項９に記載される端末（Ｔ１２）の少なくとも１つ、または請求項８に記載されるヘッド・エンド（ＨＥ）の少なくとも１つを含むことを特徴とする通信アクセス・ネットワーク。